(57)【要約】【課題】放電で発生するノイズおよび振動を低減できるプラズマディスプレイパネルの隔壁構造，および隔壁構造を備えるプラズマディスプレイパネルを提供する。【解決手段】画像が表示される領域に位置する表示放電セル１５０を区画する主隔壁１５１と，画像が表示されない領域に位置し，表示放電セル１５０と隣接して，表示放電セル１５０と同じ構造を有する第１非表示放電セル１６０を区画する第１ダミー隔壁１６１と，画像が表示されない領域に位置し，第１非表示放電セル１６０と隣接して，表示放電セル１５０と異なる構造を有する第２非表示放電セル１７０を区画する第２ダミー隔壁１７１とを備えるプラズマディスプレイパネルの隔壁構造である。【選択図】図２
2006253129.tif 000002
【特許請求の範囲】
【請求項１】
画像が表示される領域に位置する表示放電セルを区画する主隔壁と；
画像が表示されない領域に位置し，前記表示放電セルと隣接して，前記表示放電セルと同じ構造を有する第１非表示放電セルを区画する第１ダミー隔壁と；
前記画像が表示されない領域に位置し，前記第１非表示放電セルと隣接して，前記表示放電セルと異なる構造を有する第２非表示放電セルを区画する第２ダミー隔壁と；
を備えることを特徴とする，プラズマディスプレイパネルの隔壁構造。
【請求項２】
前記第１ダミー隔壁によって区画される前記第１非表示放電セルは，各々前記主隔壁によって区画される前記表示放電セルと隣接して，単一の列をなすことを特徴とする，請求項１に記載のプラズマディスプレイパネルの隔壁構造。
【請求項３】
前記第２ダミー隔壁によって区画される前記第２非表示放電セルは，複数の列をなすことを特徴とする，請求項１または２に記載のプラズマディスプレイパネルの隔壁構造。
【請求項４】
前記主隔壁によって区画される前記表示放電セルの断面形状は，８角形状であることを特徴とする，請求項１〜３のいずれかに記載のプラズマディスプレイパネルの隔壁構造。
【請求項５】
相互対向して配置され，画像が表示される領域と画像が表示されない領域とに区画され，密封材によってエッジが封着される前面基板および背面基板と；
前記画像が表示される領域に位置する表示放電セルを区画する主隔壁と；
前記画像が表示されない領域に位置し，前記表示放電セルと隣接して，前記表示放電セルと同じ構造を有する第１非表示放電セルを区画する第１ダミー隔壁と；
前記画像が表示されない領域に位置し，前記第１非表示放電セルと隣接して，前記表示放電セルと異なる構造を有する第２非表示放電セルを区画する第２ダミー隔壁と；
前記前面基板と前記背面基板との間に配置され，少なくとも前記主隔壁によって区画される前記表示放電セルで放電を起こす放電電極と；
を備えることを特徴とする，プラズマディスプレイパネル。
【発明の詳細な説明】
【技術分野】
【０００１】
本発明は，プラズマディスプレイパネル（ＰＤＰ：Ｐｌａｓｍａ  Ｄｉｓｐｌａｙ  Ｐａｎｅｌ）に係り，さらに詳細には，ＰＤＰの駆動時に発生するノイズおよび振動を低減するＰＤＰの隔壁構造，および隔壁構造を備えるＰＤＰに関する。
【背景技術】
【０００２】
最近，従来の陰極線管ディスプレイ装置を代替するものとして注目されているＰＤＰは，複数の電極が形成された二つの基板の間に，放電ガスを封じ込めた後，放電電圧を加え，これにより発生する紫外線によって，所定のパターンで形成された蛍光体が励起されて所望の画像を得る装置である。
【０００３】
このようなＰＤＰは，放電セル内に高電圧を印加して放電を起こして発光する放電メカニズムを発光手段として採択しており，放電セルの内部では，放電による衝撃波が発生する。そのような衝撃波は，放電セルを区画している隔壁を打撃して，ノイズおよび振動を発生させる。
【０００４】
図１は，前面基板１１および背面基板１２を備える従来のＰＤＰにおいて，ノイズおよび振動が，特に多く発生する領域を概略的に示している。
【０００５】
図１に示したように，ＰＤＰのうち，特に，図１の二点鎖線で示されるエッジ部分２０において，放電による衝撃波によって発生するノイズおよび振動の程度がひどくなる。また，エッジ部分２０は，放電不均一のエッジ効果を防止するためにダミー隔壁が配置される。よって，ダミー隔壁が配置される部分と，ノイズおよび振動が多く発生する部分とがほぼ一致する。したがって，ダミー隔壁，およびダミー隔壁に隣接する隔壁の構造は，ＰＤＰのノイズおよび振動の発生および低減と密接な関係を有することになる。
【発明の開示】
【発明が解決しようとする課題】
【０００６】
しかし，従来のＰＤＰでは，エッジ部分２０のノイズおよび振動を効率的に低減できる隔壁構造を備えられていないことによって，ＰＤＰの商品価値が低下し，製品競争力が弱くなるなどの多くの問題点があった。
【０００７】
そこで，本発明は，このような問題に鑑みてなされたもので，その目的とするところは，ＰＤＰの駆動時に発生するノイズおよび振動を低減でき，また，ＰＤＰの製造時に，隔壁の不良有無の検査を容易にすることができるＰＤＰの隔壁構造，および隔壁構造を備えるＰＤＰを提供することである。
【課題を解決するための手段】
【０００８】
上記課題を解決するために，本発明の第１の観点によれば，画像が表示される領域に位置する表示放電セルを区画する主隔壁と，画像が表示されない領域に位置し，表示放電セルと隣接して，表示放電セルと同じ構造を有する第１非表示放電セルを区画する第１ダミー隔壁と，画像が表示されない領域に位置し，第１非表示放電セルと隣接して，表示放電セルと異なる構造を有する第２非表示放電セルを区画する第２ダミー隔壁とを備えるＰＤＰの隔壁構造が提供される。
【０００９】
本発明によれば，ＰＤＰにおいて，主隔壁と，第１ダミー隔壁とを同じ構造に形成して，主隔壁と，第２ダミー隔壁とを異なる構造に形成することによって，放電時に発生するノイズおよび振動が第１ダミー隔壁から第２ダミー隔壁へ伝達する際に起るノイズおよび振動の共振を防止することができる。また，主隔壁と，第１ダミー隔壁とを同じ構造に形成することによって，主隔壁の不良有無を容易に検査することができる。
【００１０】
ここで，第１ダミー隔壁によって区画される第１非表示放電セルは，各々主隔壁によって区画される表示放電セルと隣接して，単一の列をなすことができる。
【００１１】
ここで，第２ダミー隔壁によって区画される第２非表示放電セルは，複数の列をなすことができる。
【００１２】
ここで，主隔壁によって区画される表示放電セルの断面形状は，８角形状であってよい。
【００１３】
上記課題を解決するために，本発明の第２の観点によれば，相互対向して配置され，画像が表示される領域と画像が表示されない領域とに区画され，密封材によってエッジが封着される前面基板および背面基板と，画像が表示される領域に位置する表示放電セルを区画する主隔壁と，画像が表示されない領域に位置し，表示放電セルと隣接して，表示放電セルと同じ構造を有する第１非表示放電セルを区画する第１ダミー隔壁と，画像が表示されない領域に位置し，第１非表示放電セルと隣接して，表示放電セルと異なる構造を有する第２非表示放電セルを区画する第２ダミー隔壁と，前面基板と背面基板との間に配置され，少なくとも主隔壁によって区画される表示放電セルで放電を起こす放電電極とを備えるＰＤＰが提供される。
【発明の効果】
【００１４】
以上説明したように本発明によれば，第２非表示放電セルの構造を表示放電セルおよび第１非表示放電セルの構造と異なるようにすることによって，放電に起因して発生するノイズおよび振動が，第１ダミー隔壁を経て第２ダミー隔壁に伝えられる際，共振することによって増大されることを防止できる。また，主隔壁によって区画される表示放電セルの構造と第１ダミー隔壁によって区画される第１非表示放電セルの構造とを同一にすることによって，ＰＤＰの生産過程で，表示放電セルのうち最外郭の表示放電セルを区画する主隔壁の不良検査を容易にできる。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。以下，添付された図面を参照して本発明をさらに詳細に説明する。
【００１６】
図２は，本発明の実施形態に係るＰＤＰのエッジ部分を示す部分切開斜視図である。図３は，本発明の実施形態の表示放電セル，第１非表示放電セルおよび第２非表示放電セルの配置を示す概略的な平面図である。
【００１７】
図２を参照すると，本発明の実施形態に係るＰＤＰ１００は，相互対向して配置される前面基板１１０および背面基板１２０を備える。前面基板１１０と背面基板１２０との間には，ネオン（Ｎｅ）やキセノン（Ｘｅ）などの放電ガスが充填され，前面基板１１０と背面基板１２０との間において放電空間Ｓを構成し，前面基板１１０および背面基板１２０のエッジが，フリットガラスなどのような密封材によって封止されて，前面基板１１０および背面基板１２０が結合される。
【００１８】
前面基板１１０の背面基板１２０に対向する面には，維持電極１１１が互いに対をなすように複数個配置されている。これら維持電極１１１は，それぞれ共通電極および走査電極に該当するＸ電極およびＹ電極となることができる。
【００１９】
前面基板１１０には，維持電極１１１を覆うように，第１誘電体層１１２が形成される。この第１誘電体層１１２を覆うように，ＭｇＯなどで形成される保護層１１３が備えられる。保護層１１３は，放電時に負極としての機能も備えることができる。
【００２０】
一方，背面基板１２０の前面基板１１０に対向する面には，アドレス電極１２１が維持電極１１１に直交するように配置される。本発明の実施形態では，維持電極１１１およびアドレス電極１２１が，前面基板１１０と背面基板１２０との間に配置され，少なくとも主隔壁１５１によって区画される表示放電セル１５０で放電を起こす放電電極となる。
【００２１】
上記のような維持電極１１１およびアドレス電極１２１の構造およびパターンは，これに限定されず，設計条件によって多様に変形される。
【００２２】
背面基板１２０には，アドレス電極１２１を覆うように，第２誘電体層１２２が形成されている。第２誘電体層１２２は，パネル全体の輝度を向上させるように白色を帯びるように形成されることが望ましい。
【００２３】
放電セルは，プラズマ放電によって画像が表示される領域に位置する表示放電セル１５０と，画像が表示されない領域に位置する第１非表示放電セル１６０と，第２非表示放電セル１７０とに分けられる。
【００２４】
第２誘電体層１２２上には，放電空間Ｓを複数の放電セルに区画する隔壁が形成される。隔壁は，表示放電セル１５０を区画する主隔壁１５１と，第１非表示放電セル１６０を区画する第１ダミー隔壁１６１と，第２非表示放電セル１７０を区画する第２ダミー隔壁１７１とで構成される。
【００２５】
主隔壁１５１によって区画される表示放電セル１５０は，ＰＤＰ１００の中央部に延びて位置し，放電を通じて画像を具現することができる。
【００２６】
第１ダミー隔壁１６１によって区画される第１非表示放電セル１６０は，各々主隔壁１５１によって区画される表示放電セル１５０と隣接して，単一の列で構成される。
【００２７】
第２ダミー隔壁１７１は，第１ダミー隔壁１６１に隣接して位置する。第２ダミー隔壁１７１によって区画される第２非表示放電セル１７０は，第１非表示放電セル１６０に隣接して，複数の列，例えば，３〜４個の列で構成される。図２で示すように，表示放電セル１５０と第１非表示放電セル１６０の境界にある隔壁は，主隔壁１５１にも，第１ダミー隔壁１６１にも帰属する。即ち，表示放電セル１５０と第１非表示放電セル１６０の境界では，隔壁が互いに共有される。また，第２非表示放電セル１７０と第１非表示放電セル１６０の境界の隔壁も，互いに共有されるので，第２非表示放電セル１７０と第１非表示放電セル１６０の境界の隔壁は，第１ダミー隔壁１６１にも，第２ダミー隔壁１７１にも帰属する。
【００２８】
表示放電セル１５０および第１非表示放電セル１６０は，何れも連続的な略８角形状の断面を有する形状で形成される。表示放電セル１５０および第１非表示放電セル１６０には，略８角形状の断面形状で形成される非放電領域１８０が形成される。より具体的には，図２および図３によると，図３の紙面において上下左右に隣接する表示放電セル１５０の間に位置する隔壁の中央部分に，略８角形状の非放電領域１８０が形成される。また，第１非表示放電セル１６０と第２非表示放電セル１７０との境界の隔壁に，略３角形状の非放電領域１８０が形成され，第１非表示放電セル１６０と表示放電セル１５０との境界の隔壁に，略８角形状の非放電領域１８０が形成される。本発明の実施形態では，表示放電セル１５０を区画する主隔壁１５１，第１非表示放電セル１６０を区画する第１ダミー隔壁１６１は，表示放電セル１５０，第１非表示放電セル１６０および非放電領域１８０の断面形状を，略８角形状とするように形成されるが，本発明はこれに限定されず，多様な形状の放電セルが可能である。
【００２９】
第２ダミー隔壁１７１によって区画される第２非表示放電セル１７０の断面形状は，略四角形状および略半円形状を組み合わせて形成され，表示放電セル１５０および第１非表示放電セル１６０の構造と異なるように形成される。図２および図３によると，第２非表示放電セル１７０は，第２ダミー隔壁１７１によって区画される２列の略四角形状の第２非表示放電セル１７０と，最外郭の略四角形状の第２非表示放電セル１７０に隣接する１列の略半円形状の第２非表示放電セル１７０とを備える。また，２列の略四角形状の第２非表示放電セル１７０は，３列であってもよい。第２ダミー隔壁１７１によって区画される第２非表示放電セル１７０は，図２および図３の形状に限定されず，多様な形状で形成可能である。
【００３０】
本発明の実施形態のように，第２非表示放電セル１７０の構造を表示放電セル１５０および第１非表示放電セル１６０の構造と異なるように形成する理由は，次の通りである。
【００３１】
すなわち，主隔壁１５１によって区画される表示放電セル１５０で放電が起こると，放電で発生するノイズおよび振動が第１ダミー隔壁１６１を経て第２ダミー隔壁１７１に伝えられる。このとき，表示放電セル１５０および第１非表示放電セル１６０の構造と第２非表示放電セル１７０の構造とが同一であれば，それぞれの固有振動数も同一になるので，伝えられるノイズおよび振動が増幅される共振現象が起こる。したがって，本実施形態のように，第２非表示放電セル１７０の構造を表示放電セル１５０および第１非表示放電セル１６０の構造と異なるように形成することによって，第２非表示放電セル１７０と第１非表示放電セル１７０との間の固有振動数を異なるようにすることで，共振現象を防止することができる。
【００３２】
一方，本実施形態では，主隔壁１５１によって区画される表示放電セル１５０と第１ダミー隔壁１６１によって区画される第１非表示放電セル１６０の断面形状を，略８角形状として形成して，表示放電セル１５０と第１非表示放電セル１６０の断面形状を同一に形成する。その理由は，次の通りである。
【００３３】
一般的に，ＰＤＰの生産工程で不良な隔壁の検出する検査は，隣接する列の放電セルを参考セルとして指定した後，その参考セルの隔壁と検査対象である放電セルの隔壁とを比較して行う。すなわち，参考セルの隔壁と検査対象である放電セルの隔壁とが互いに構造が異なる場合，特異点として分類して不良隔壁を検出する方法である。
【００３４】
図２および図３を参照して説明すると，表示放電セル１５０のうち，最外郭に位置する放電セルの隔壁に対して検査を行う場合には，最外郭に位置する表示放電セル１５０に接する第１非表示放電セル１６０が参考セルとなる。したがって，例えば，第１ダミー隔壁１６１によって区画される第１非表示放電セル１６０の構造を，主隔壁１５１によって区画される表示放電セル１５０の構造と異なるように形成すると，最外郭に位置する表示放電セル１５０を区画する主隔壁１５１の不良有無を決定するための検査が難しくなる。すなわち，例えば，第１非表示放電セル１６０の構造を表示放電セル１５０の構造と異なるように形成すると，最外郭に位置する表示放電セル１５０は，主隔壁１５１の不良有無の検査を行うための適した参考セルを有していないので，表示放電セル１５０を区画する主隔壁１５１の不良有無の検査が難しくなる。
【００３５】
したがって，本実施形態では，第１非表示放電セル１６０の構造を表示放電セル１５０の構造と同じ略８角形状の断面を有する構造にすることによって，最外郭に位置する表示放電セル１５０を区画する主隔壁１５１の不良有無の検査を容易に行うことができる。
【００３６】
一方，主隔壁１５１と第１ダミー隔壁１６１および第２ダミー隔壁１７１の内側面と，隔壁で取り囲まれる第２誘電体層１２２の上面とには，蛍光体層１９０が形成される。
【００３７】
蛍光体層１９０は，紫外線を受けて可視光線を発生させる成分を有する。赤色発光放電セルに形成される赤色蛍光体層は，Ｙ（Ｖ，Ｐ）Ｏ４：Ｅｕなどのような蛍光体を含み，緑色発光放電セルに形成される緑色蛍光体層は，Ｚｎ２ＳｉＯ４：Ｍｎなどのような蛍光体を含み，青色発光放電セルに形成される青色蛍光体層は，ＢＡＭ：Ｅｕなどのような蛍光体を含む。
【００３８】
上述したように構成される本発明の実施形態に係るＰＤＰ１００の駆動時に発生するノイズおよび振動の伝達過程は，次の通りである。
【００３９】
まず，外部の電源から電圧が印加されると，アドレス放電が起こり，次いで，維持放電が起こる。維持放電時に励起される放電ガスのエネルギー準位が低下して，紫外線が放出される。この紫外線が放電セル内に塗布される蛍光体層１９０の蛍光体を励起させる。このとき，励起される蛍光体のエネルギー準位が低下して，可視光が放出され，この放出される可視光が前面基板１１０を透過して出射されて，ユーザが認識できる画像を形成することができる。
【００４０】
上記のような駆動過程で，放電が起こる表示放電セル１５０で，放電によって衝撃波が発生し，表示放電セル１５０の主隔壁１５１を打撃して，ノイズおよび振動を誘発する。発生したノイズおよび振動は，第１ダミー隔壁１６１に伝達され，次いで，第２ダミー隔壁１７１に伝達される。
【００４１】
本実施形態では，第１ダミー隔壁１６１によって区画される第１非表示放電セル１６０の断面形状は，略８角形状で形成され，第２ダミー隔壁１７１によって区画される第２非表示放電セル１７０の断面形状は，略四角形状および略半円形状を組み合わせて形成されるので，第１非表示放電セル１６０と第２非表示放電セル１７０の固有振動数が異なることができる。従って，主隔壁１５１から発生して第１ダミー隔壁１６１に伝えられるノイズおよび振動は，第２ダミー隔壁１７１に伝えられる過程で共振によって増大せず，次第に減衰することができる。よって，ノイズおよび振動を低減することができる。
【００４２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４３】
本発明は，ＰＤＰ関連の技術分野に適用可能である。
【図面の簡単な説明】
【００４４】
【図１】従来のＰＤＰにおいて，ノイズおよび振動が多く発生する領域を概略的に示す斜視図である。
【図２】本発明の実施形態に係るＰＤＰを示す部分切開斜視図である。
【図３】本発明の実施形態の表示放電セル，第１非表示放電セルおよび第２非表示放電セルの配置を示す概略的な平面図である。
【符号の説明】
【００４５】
１００      ＰＤＰ
１１０      前面基板
１１１      維持電極
１１２      第１誘電体層
１１３      保護層
１２０      背面基板
１２１      アドレス電極
１２２      第２誘電体層
１５０      表示放電セル
１５１      主隔壁
１６０      第１非表示放電セル
１６１      第１ダミー隔壁
１７０      第２非表示放電セル
１７１      第２ダミー隔壁
１８０      非放電領域
１９０      蛍光体層
【図１】
2006253129.tif 000003
【図２】
2006253129.tif 000004
【図３】
2006253129.tif 000005